(57)【要約】【課題】安全性を向上させることができる電動リール用バッテリーを提供する。【解決手段】電動リール用バッテリー１は、バッテリー本体４と、バッテリー本体４に設けられる第１外部電極端子５および第２外部電極端子６と、第１外部電極端子５および第２外部電極端子６からの出力のオン・オフを切り替えるオン・オフスイッチ９５とを備える。【選択図】図３
2008054596.tif 000002
【特許請求の範囲】
【請求項１】
バッテリー本体と、
前記バッテリー本体に設けられる外部電極端子と、
前記外部電極端子からの出力のオン・オフを切り替えるオン・オフ切替部と、
を備える電動リール用バッテリー。
【請求項２】
前記オン・オフ切替部は、前記バッテリー本体に設けられ手動で切替可能なオン・オフスイッチを有する、
請求項１に記載の電動リール用バッテリー。
【請求項３】
前記外部電極端子は、第１状態と、前記第１状態よりも前記バッテリー本体の表面から外方へ向けて突出した第２状態とのいずれかに手動で切り替え可能であり、
前記オン・オフ切替部は、前記外部電極端子が前記第１状態である場合には前記外部電極端子からの出力をオフにし、前記外部電極端子が前記第２状態である場合には前記外部電極端子からの出力をオンにする、
請求項１に記載の電動リール用バッテリー。
【請求項４】
前記外部電極端子から出力される電流値を検知し、前記電流値に基づいて前記外部電極端子からの出力をオフにする自動出力オフ部をさらに備える、
請求項１から３のいずれかに記載の電動リール用バッテリー。
【請求項５】
前記自動出力オフ部は、前記電流値が所定値以下である状態が一定時間継続した場合に前記外部電極端子からの出力をオフにする、
請求項４に記載の電動リール用バッテリー。
【請求項６】
前記外部電極端子からの出力の状態を表示する表示体をさらに備える、
請求項１から５のいずれかに記載の電動リール用バッテリー。
【請求項７】
前記バッテリー本体に充電された電力の残量を発光の組合せによって表示する複数の発光体をさらに備える、
請求項１から６のいずれかに記載の電動リール用バッテリー。
【請求項８】
前記複数の発光体は、前記バッテリー本体において異常が発生した場合には、発生した異常の種別を発光の組合せによって表示する、
を備える請求項７に記載の電動リール用バッテリー。
【発明の詳細な説明】
【技術分野】
【０００１】
本発明は、電動リール用バッテリーに関する。
【背景技術】
【０００２】
近年、電動リールの電源として、持ち運びの容易な電動リール用バッテリーが利用されている。電動リール用バッテリーには外部電極端子が設けられており、電気ケーブルの一端に設けられた接続端子が外部電極端子に接続される。これにより、電動リール用バッテリーに蓄積された電力が電気ケーブルを介して電動リールに供給される。
【特許文献１】特開２００５−１６０４２２号公報
【発明の開示】
【発明が解決しようとする課題】
【０００３】
しかし、上記のような電動リール用バッテリーでは、故障して保護機能が発揮される場合を除いて外部電極端子からの出力が常時可能となっており、不適切に使用された場合には故障や感電の恐れがある。特に、近年の電動リール用バッテリーには、リチウムイオンバッテリーなどの大容量のものが用いられるようになっており、安全性をより向上させることが望まれている。
【０００４】
本発明の課題は、安全性を向上させることができる電動リール用バッテリーを提供することにある。
【課題を解決するための手段】
【０００５】
第１発明に係る電動リール用バッテリーは、バッテリー本体と、バッテリー本体に設けられる外部電極端子と、外部電極端子からの出力のオン・オフを切り替えるオン・オフ切替部とを備える。
【０００６】
この電動リール用バッテリーでは、オン・オフ切替部によって外部電極端子からの出力が切り替えられる。このため、電動リール用バッテリーの使用時に外部電極端子からの出力をオンにし、不使用時には外部電極端子からの出力をオフにすることができる。これにより、この電動リール用バッテリーでは、安全性を向上させることができる。
【０００７】
第２発明に係る電動リール用バッテリーは、第１発明の電動リール用バッテリーであって、オン・オフ切替部は、バッテリー本体に設けられ手動で切替可能なオン・オフスイッチを有する。
【０００８】
この電動リール用バッテリーでは、オン・オフスイッチを操作することによって使用者が外部電極端子からの出力のオン・オフを任意に切り替えることができる。
【０００９】
第３発明に係る電動リール用バッテリーは、第１発明の電動リール用バッテリーであって、外部電極端子は、第１状態と、第１状態よりもバッテリー本体の表面から外方へ向けて突出した第２状態とのいずれかに手動で切り替え可能である。また、オン・オフ切替部は、外部電極端子が第１状態である場合には外部電極端子からの出力をオフにし、外部電極端子が第２状態である場合には外部電極端子からの出力をオンにする。
【００１０】
この電動リール用バッテリーでは、使用者が外部電極端子を引っ張り出して第２状態とすることによって出力がオンにされる。そして、使用者が外部電極端子を押し込んで第１状態とすることによって出力がオフにされる。このため、不使用時には、外部電極端子に接触し難くなると共に出力がオフにされるため安全性をより向上させることができる。また、使用時には、外部電極端子に電気ケーブルなどを接続しやすくなると共に、外部電極端子が引き出されることによって自動的に出力がオンにされ便利である。
【００１１】
第４発明に係る電動リール用バッテリーは、第１発明から第３発明のいずれかに記載の電動リール用バッテリーであって、外部電極端子から出力される電流値を検知し、電流値に基づいて外部電極端子からの出力のオン・オフを切り替える自動出力オフ部をさらに備える。
【００１２】
この電動リール用バッテリーでは、自動出力オフ部が外部電極端子から出力される電流値に基づいて外部電極端子からの出力のオン・オフを切り替える。このため、使用者が外部電極端子からの出力をオフにすることを忘れた場合であっても、外部電極端子からの出力を自動的にオフにすることができ、安全性をより向上させることができる。
【００１３】
第５発明に係る電動リール用バッテリーは、第４発明の電動リール用バッテリーであって、自動出力オフ部は、電流値が所定値以下である状態が一定時間継続した場合に外部電極端子からの出力をオフにする。
【００１４】
この電動リール用バッテリーでは、外部電極端子から出力される電流値が所定値以下である状態が一定時間継続した場合に外部電極端子からの出力がオフにされる。このため、電動リール用バッテリーが使用されていない状態を精度よく認識して外部電極端子からの出力をオフにすることができる。
【００１５】
第６発明に係る電動リール用バッテリーは、第１発明から第５発明の電動リール用バッテリーであって、外部電極端子からの出力の状態を表示する表示体をさらに備える。
【００１６】
この電動リール用バッテリーでは、外部電極端子からの出力の状態が表示体によって表示される。このため、使用者は、外部電極端子からの出力の状態を容易に認識することができる。
【００１７】
第７発明に係る電動リール用バッテリーは、第１発明から第６発明の電動リール用バッテリーであって、バッテリー本体に充電された電力の残量を発光の組合せによって表示する複数の発光体をさらに備える。
【００１８】
この電動リール用バッテリーでは、バッテリー本体に充電された電力の残量が複数の発光体の発光の組合せによって表示される。このため、使用者は、電力の残量を容易に認識することができる。
【００１９】
第８発明に係る電動リール用バッテリーは、第７発明の電動リール用バッテリーであって、複数の発光体は、バッテリー本体において異常が発生した場合には、発生した異常の種別を発光の組合せによって表示する。
【００２０】
この電動リール用バッテリーでは、バッテリー本体において異常が発生した場合には、発生した異常の種別が、複数の発光体の発光の組合せによって表示される。このため、使用者は、複数の発光体の発光の組合せによって、発生した異常の内容を容易に把握することができる。また、電力の残量の表示のための発光体が異常発生時の警告表示を兼ねているため、部品点数を削減することができる。
【発明の効果】
【００２１】
本発明に係る電動リール用バッテリーでは、オン・オフ切替部によって外部電極端子からの出力が切り替えられる。このため、電動リール用バッテリーの使用時に外部電極端子からの出力をオンにし、不使用時には外部電極端子からの出力をオフにすることができる。これにより、この電動リール用バッテリーでは、安全性を向上させることができる。
【発明を実施するための最良の形態】
【００２２】
＜第１実施形態＞
〈構成〉
本発明の一実施形態に係る電動リール用バッテリー１を図１に示す。電動リール用バッテリー１は、電気ケーブル２を介して電動リール３に電気的に接続され、船縁近傍に載置可能なものである。電動リール用バッテリー１は、繰り返し充電可能なリチウムイオンバッテリーであり、小型且つ軽量であるため持ち運びが可能である。この電動リール用バッテリー１は、図２に示すように、バッテリー本体４と、バッテリー本体４上に設けられる第１外部電極端子５および第２外部電極端子６と、回路基板７とを備える。なお、図２は電動リール用バッテリー１の側面断面図である。
【００２３】
〔バッテリー本体４〕
バッテリー本体４は、バッテリーのセル８や回路基板７を収納する箱状の部材である。バッテリー本体４の下面４１は平坦に形成されており、バッテリー本体４は下面４１を下にした状態で船縁等に載置可能となっている。また、バッテリー本体４の第１側面４２または第１側面４２の反対側に設けられた第２側面４０（図３参照）を下にして船縁等に載置することも可能である。バッテリー本体４の上面４３には、バッテリー本体４の長手方向に距離を隔てて２つの凹部４４，４５（以下、「第１凹部４４」および「第２凹部４５」と呼ぶ）が設けられている。第１凹部４４は、バッテリー本体４の第３側面４６まで達しており、バッテリー本体４の上方および第３側面４６の側方と連通する空間を形成している。第１凹部４４には、第１外部電極端子５が設置される。第２凹部４５は、第１凹部４４と概ね対称な形状を有しており、バッテリー本体４の上方および第４側面４７の側方と連通する空間を形成している。第２凹部４５には、第２外部電極端子６が設けられる。
【００２４】
〔第１外部電極端子５および第２外部電極端子６〕
第１外部電極端子５は、電気ケーブル２の第１バッテリー接続端子２１（図１参照）が係止する部分である。第１外部電極端子５は、図２に示すように、L字状に屈曲した金属棒から形成されている。第１外部電極端子５は、バッテリー本体４の内部において回路基板７と接続されている。
【００２５】
第２外部電極端子６は、第１外部電極端子５と対称な形状を有しており、第２凹部４５に設けられている。第２外部電極端子６には、電気ケーブル２の第２バッテリー接続端子２２が係止する。なお、第２外部電極端子６も第１外部電極端子５と同様にバッテリー本体４の内部において回路基板７と接続されている。
【００２６】
〔回路基板７〕
回路基板７は、外部電極端子５，６およびセル８と接続されており、コンピュータや各種の回路素子が実装されることによってセル８の充電や放電を制御するための制御回路９（図４参照）が形成されている。回路基板７は、別体に形成された第１回路基板７１と第２回路基板７２とに分かれており、制御回路９は第１回路基板７１と第２回路基板７２とに分かれて形成されている。第１回路基板７１と第２回路基板７２とは。バッテリー本体４の内部において鉛直方向に積層して配置されており、上側に第１回路基板７１が配置され、下側に第２回路基板７２が配置されている。第１回路基板７１と第２回路基板７２とは電気的に接続されており、第２回路基板７２には、外部電極端子５，６から延びる配線およびセル８から延びる配線が接続される。図４に示すように、回路基板７に形成された制御回路９は、保護部９１と、オン・オフ切替部９２と自動出力オフ部９３と表示部９４とを有している。
【００２７】
〈保護部９１〉
保護部９１は、電動リール用バッテリー１に異常が発生した場合に、充電を停止したり、出力をオフにしたりすることによってセル８や制御回路９を保護する。保護部９１は、制御回路９を流れる電流や電圧の検出値や、検出された電流値や電圧値の継続時間に基づいて異常の発生を判定し、所定の条件が満たされた場合には充電を停止したり出力をオフにしたりする。
【００２８】
なお、制御回路９には、過大な電流が流れた場合に電流を遮断するヒューズ（図示せず）も含まれており、ヒューズが電流を遮断することによってもセル８や制御回路９が保護される。
【００２９】
〈オン・オフ切替部９２〉
オン・オフ切替部９２は、外部電極端子５，６からの出力のオン・オフを切り替える回路であり、図３に示すオン・オフスイッチ９５を有する。なお、図３は、電動リール用バッテリーの上面図である。オン・オフスイッチ９５は、バッテリー本体４の上面において操作可能に設けられた押しボタンスイッチであり、手動でオン状態とオフ状態とのいずれかに切替可能である。オン・オフ切替部９２は、オン・オフスイッチ９５がオン状態の場合には外部電極端子５，６からの出力をオンにし、オン・オフスイッチ９５がオフ状態の場合には外部電極端子５，６からの出力をオフにする。
【００３０】
〈自動出力オフ部９３〉
自動出力オフ部９３は、外部電極端子５，６から出力される電流値を検知し、検知された電流値に基づいて外部電極端子５，６からの出力を自動的にオフにする。より詳細には、自動出力オフ部９３は、電流値が所定値以下である状態が一定時間継続した場合に外部電極端子５，６からの出力をオフにする。この所定値は、電動リール３が使用されていない状態での待機電流以下の値であり、外部電極端子５，６から出力される電流値がこの所定値以下である状態が続いた場合には、自動出力オフ部９３によって外部電極端子５，６からの出力が自動的にオフにされる。なお、自動出力オフ部９３によって出力がオフにされると、制御回路９に含まれるコンピュータはスリープモードとなる。
【００３１】
〈表示部９４〉
表示部９４は、外部電極端子５，６からの出力の状態、セル８に充電された電力の残量、電動リール用バッテリー１に発生した異常の種別などを表示する。表示部９４は、図３に示す複数の発光体Ｌ０−Ｌ５を有しており、これらの発光体Ｌ０−Ｌ５が発光することによって上記の内容を表示することができる。発光体Ｌ０−Ｌ５は、例えばＬＥＤなどの発光素子であり、バッテリー本体４の上面において外部から視認可能に設けられている。ここではＬ０からＬ５までの６つの発光体Ｌ０−Ｌ５が設けられており、これらの発光体Ｌ０−Ｌ５はオン・オフスイッチ９５の側方に直線状に並んで配置されている。なお、発光体Ｌ０−Ｌ５は、第１回路基板７１に設けられている。
【００３２】
発光体Ｌ０（表示体）は、電源の状態を表示するものであり、オン・オフスイッチ９５がオン状態の場合に点灯し、オン状態が継続している間は継続して点灯する。発光体Ｌ１−Ｌ５は、セル８に充電された電力の残量を発光の組合せによって表示する。電力の残量をフル充電の１０％〜９０％の間で５つのレベルに分け、電力の残量が最も多いレベルを第５レベル、最も少ないレベルを第１レベルとすると、第５レベルでは発光体Ｌ５が点灯する。第４レベルでは発光体Ｌ４、第３レベルでは発光体Ｌ３、第２レベルでは発光体Ｌ２，そして、第１レベルでは発光体Ｌ１が点灯する。つまり、電力の残量が低下するにつれて発光体Ｌ０に近い発光体が発光する。この電力の残量表示のための発光体Ｌ１−Ｌ５の発光は、オン・オフスイッチ９５がオン状態とされた後に数秒間行われ、その後、消灯する。電力の残量がフル充電の１０％以下となった場合は発光体Ｌ１−Ｌ５が点滅する。また、オン・オフスイッチ９５がオフ状態の場合や、自動出力オフ部９３によって外部電極端子５，６からの出力が自動的にオフにされた場合には、全ての発光体Ｌ０−Ｌ５が消灯する。なお、充電中には、電力の残量表示のための発光体Ｌ１−Ｌ５の発光が常時行われる。この場合、電力の残量表示は、発光体Ｌ１−Ｌ５の点滅により行われる。
【００３３】
また、発光体Ｌ０−Ｌ５は、バッテリー本体４において異常が発生した場合には、発生した異常の種別を発光の組合せによって表示する。この発光の組合せは、単一の発光体の発光に限らず、複数の発光体の発光も含む。具体的には、異常の種別には、以下のようなものがあり、各異常に対応した発光体が点滅することにより異常の種別が表示される。
【００３４】
過充電保護：所定の過大電圧以上の電圧が検出された場合に、保護部９１によって充電が停止される。この場合、発光体Ｌ５が点灯する。
【００３５】
長時間充電：充電時間が所定時間を超えた場合に、保護部９１によって充電が停止される。この場合、発光体Ｌ４が点灯する。
【００３６】
外部短絡：所定の過大電流以上の電流が所定時間継続して検出された場合、電動リール用バッテリー１の外部で短絡が発生していると見なして保護部９１によって外部電極端子５，６からの出力がオフにされる。この場合、発光体Ｌ４および発光体Ｌ５が点灯する。
【００３７】
過放電保護：所定の低電圧以下の電圧が所定時間継続して検出された場合、保護部９１によって外部電極端子５，６からの出力がオフにされる。この場合、発光体Ｌ３が点灯する。
【００３８】
過電流保護：充電時において所定の過大電流以上の電流が検出された場合に、保護部９１によって充電が停止される。この場合、発光体Ｌ３および発光体Ｌ５が点灯する。
【００３９】
充電不能：セル８への充電が行えない場合に、発光体Ｌ３および発光体Ｌ４が点灯する。
【００４０】
回路故障：制御回路９が故障している場合に、発光体Ｌ０−Ｌ５が点灯する。過大電流によりヒューズが切れた場合にも発光体Ｌ０−Ｌ５が点灯する。
【００４１】
なお、上記の異常のうち回路故障を除いた異常発生の場合には、オン・オフスイッチ９５を押すことによって異常発生の表示はリセットされ、点灯していた発光体は消灯する。ただし、回路故障の場合は、オン・オフスイッチ９５を押しても異常発生の表示はリセットされない。
【００４２】
〈特徴〉
（１）
この電動リール用バッテリー１では、オン・オフスイッチ９５によって、外部電極端子５，６からの出力のオン・オフを手動で切り替えることができる。このため、使用者は、不使用時にはオン・オフスイッチ９５を操作してオフ状態とすることによって、外部電極端子５，６からの出力をオフにすることができ、安全性を向上させることができる。
【００４３】
また、出力のオン・オフ状態を発光体Ｌ０の発光の有無によって容易に把握することができる。
【００４４】
（２）
この電動リール用バッテリー１では、電動リール用バッテリー１が一定時間使用されていない場合には、自動出力オフ部９３によって外部電極端子５，６からの出力がオフにされる。このため、使用者が使用後にオン・オフスイッチ９５をオフ状態に切り替え忘れた場合であっても、外部電極端子５，６からの出力が自動的にオフにされる。
【００４５】
（３）
この電動リール用バッテリー１では、発光体Ｌ１−Ｌ５の発光の組合せによって、電力の残量を容易に把握することができる。
【００４６】
また、充電時には、充電の進行度を発光体Ｌ１−Ｌ５の発光の組合せによって容易に把握することができる。
【００４７】
（４）
この電動リール用バッテリー１では、異常が発生した場合に、発光体Ｌ０−Ｌ５の発光の組合せによって、発生した異常の種別を容易に把握することができる。
【００４８】
また、電力の残量を表示するための発光体Ｌ０−Ｌ５が異常発生時の警告表示を兼ねるため、異常発生を知らせるための特別の部材を設ける必要が無く、部品点数を削減することができる。
＜第２実施形態＞
本発明の第２実施形態に係る電動リール用バッテリーの側面断面の一部を図５に示す。この電動リール用バッテリーでは、第１外部電極端子５は、第１凹部４４内に収納されバッテリー本体４の上面から埋没した第１状態（図６（ａ）参照）と、第１凹部４４内から上方に引き出されバッテリー本体４の表面から突出した第２状態（図６（ｂ）参照）とのいずれかに手動で切り替え可能となっている。第２外部電極端子６についても同様である。そして、オン・オフ切替部９２は、第１外部電極端子５が第１状態である場合には外部電極端子５，６からの出力をオフにし、第１外部電極端子５が第２状態である場合には外部電極端子５，６からの出力をオンにする。
【００４９】
この電動リール用バッテリーでは、使用者が第１外部電極端子５を引っ張り出して第２状態とすることによって電力の出力がオンにされる。そして、使用者が第１外部電極端子５を押し込んで第１状態とすることによって出力がオフにされる。このため、不使用時には、第１外部電極端子５に使用者の手が接触し難くなると共に出力がオフにされるため、安全性をより向上させることができる。また、使用時には、第１外部電極端子５が引き出された状態となるため、電気ケーブル２などを接続し易くなる。また、第１外部電極端子５が引き出されることによって自動的に出力がオンにされるため便利である。
【００５０】
なお、第１外部電極端子５と第２外部電極端子６との両方が第２状態とされた場合に外部電極端子５，６からの出力がオンにされてもよく、第１外部電極端子５と第２外部電極端子６とのいずれか一方が第２状態とされた場合に外部電極端子５，６からの出力がオンにされてもよい。出力のオフについても同様である。また、第１外部電極端子５と第２外部電極端子６とがリンクして一緒に移動するように構成されてもよい。
＜他の実施形態＞
（１）
上記の第１実施形態では、オン・オフスイッチ９５は押しボタン型のスイッチであるが、他のタイプの手動スイッチが用いられてもよい。
【００５１】
（２）
上記の実施形態では、発光体Ｌ０−Ｌ５としてＬＥＤが設けられているが他の発光素子が用いられてもよい。
【００５２】
（３）
上記の実施形態では、外部電極端子５，６はＬ字型の形状を有しているが、電気ケーブル２が接続できる形状であれば、他の形状であってもよい。
【００５３】
（４）
上記の実施形態での異常を表示する発光体Ｌ０−Ｌ５の組合せは一例であり、上記とは異なる組合せによって異常の種別が示されてもよい。
【産業上の利用可能性】
【００５４】
本発明は、安全性を向上させることができる効果を有し、電動リール用バッテリーとして有用である。
【図面の簡単な説明】
【００５５】
【図１】電動リール用バッテリーの斜視図。
【図２】電動リール用バッテリーの側面断面図。
【図３】電動リール用バッテリーの上面図。
【図４】電動リール用バッテリーの制御ブロック図。
【図５】第２実施形態に係る電動リール用バッテリーの側面断面の一部を示す図。
【符号の説明】
【００５６】
１          電動リール用バッテリー
４          バッテリー本体
５，６      外部電極端子
９２        オン・オフ切替部
９３        自動出力オフ部
９４        表示部
９５        オン・オフスイッチ
Ｌ０        発光体（表示体）
Ｌ１−Ｌ５  発光体
【図１】
2008054596.tif 000003
【図２】
2008054596.tif 000004
【図３】
2008054596.tif 000005
【図４】
2008054596.tif 000006
【図５】
2008054596.tif 000007